(57)【要約】      （修正有）【課題】主に身の周りに付け、体の周りの空気を調節できる多機能の噴霧式ミネラルウォーター瓶を提供する。【解決手段】弾性材料で作られる容器で、一つの口が付いている。蓋スタンド１は瓶口にぴったりと据え付けられ、その中心には水を通すことのできる通り穴がある。噴霧装置は噴霧本体、霧化弁体、ノズルを含む。そのうち、噴霧本体は垂直管と水平管からなっている。垂直管は、蓋の中心の通り穴と直接繋ぐ。水平管の中には円柱形の室があり、霧化弁体、ノズルと一体に組み立てられる。霧化弁体の外壁には少なくとも２本の導流溝、霧化溝がある。ノズルの断面の中心では霧化弁体と同軸の噴霧口が開かれ、それが霧化溝と通じている。本ミネラルウォーター瓶は、一般的な飲む機能の上に、瓶を押すと水が噴き出し、周りの温度を下げるし、埃を水の霧と結合させて落とすことができる。涼しくてさわやかな気分になれる。【選択図】図１
0003163942.tif 000002
【実用新案登録請求の範囲】
【請求項１】
（１）一つの口が付いてある、弾性材料で作られた容器と、
（２）瓶口にぴったりと据え付けられており、中心に水を通すことが可能な通り穴がある蓋スタンドと、
（３）噴霧本体、霧化弁体およびノズルを含む噴霧装置と、を備え、
噴霧本体は垂直管と水平管からなり、垂直管は蓋の中心の通り穴と直接繋いでおり、水平管の円柱形の室の中には霧化弁体があり、霧化弁体はノズルと一体に組み立てられており、霧化弁体の外壁には少なくとも2本の導流溝があり、それに相応して、霧化溝もあり、ノズルの断面の中心には霧化弁体と同軸の噴霧口が開かれ、霧化槽と通じている、ことを特徴とする多機能の噴霧式ミネラルウォーター瓶。
【請求項２】
噴霧本体の垂直管と水平管は90°になり、垂直管の内壁には、水平管の円柱形室と同軸の十字形支え物があって、霧化弁体を支える、ことを特徴とする請求項１に記載の多機能の噴霧式ミネラルウォーター瓶。
【請求項３】
霧化弁体の外壁には、中心対称になる4本の導流溝、および霧化溝が設けられており、霧化溝は、円柱形の溝と4本の連通溝を含むものであり、導流溝と円柱形の溝との間は連通溝で結んでいる（連通溝は円柱形の溝の円周の接線になっている）ことを特徴とする請求項１に記載の多機能の噴霧式ミネラルウォーター瓶。
【請求項４】
ノズルの先端部には槽が設けられ、適合した副蓋がある、ことを特徴とする請求項１または２に記載の多機能の噴霧式ミネラルウォーター瓶。
【請求項５】
副蓋は噴霧本体の水平管の外口と締め、またある弾性結合件で水平管とつながる、ことを特徴とする請求項１または２に記載の多機能の噴霧式ミネラルウォーター瓶。
【請求項６】
ノズルの内部は、円柱状になり、霧化弁体と同軸にしまりばめになり、ノズルの外壁は噴霧本体の円柱状の室に緊密に組み立てられる、ことを特徴とする請求項１または４に記載の多機能の噴霧式ミネラルウォーター瓶。
【請求項７】
ノズルの噴霧口の後には同軸の円台形の穴があり、その穴の大きい直径は（霧化弁体の）円柱形の溝の直径と同じであり、小さい直径は噴霧口の直径と同じである、ことを特徴とする請求項１に記載の多機能の噴霧式ミネラルウォーター瓶。
【請求項８】
蓋スタンドの通り穴の内壁には環状の溝が付き、それに相応して、垂直管の上にも環状の突起物があり、両者は緊密に嵌めあいとなる、ことを特徴とする請求項１に記載の多機能の噴霧式ミネラルウォーター瓶。
【請求項９】
ノズルの位置に合わせて、蓋スタンドの上には支え装置があり、支え装置は二つの支柱（１８）と中間の円弧状の支え板（１９）とを含む、ことを特徴とする請求項１または４に記載の多機能の噴霧式ミネラルウォーター瓶。
【請求項１０】
蓋スタンドは、弾性結合件を通じて主蓋とつながり、その上端面には突起のリミット環があり、外径は主蓋の内径に合わせており、また、リミット環の外側には溝もあり、主蓋の突起部分と噛み合って締められる、ことを特徴とする請求項１または４に記載の多機能の噴霧式ミネラルウォーター瓶。
【考案の詳細な説明】
【技術分野】
【０００１】
本考案は、ミネラルウォーター瓶に関し、主に身の周りに付け、体の周りの空気を調節できる多機能の噴霧式ミネラルウォーター瓶に関する。
【背景技術】
【０００２】
普通のミネラルウォーター瓶は、瓶体と蓋のみを含んでいる。瓶体には口が設けられ、その外壁と蓋の内壁とにもネジがあり、蓋と瓶体はネジで締め付ける。
【考案の概要】
【考案が解決しようとする課題】
【０００３】
しかしながら、上記のようなミネラルウォーター瓶は、仕組みが簡単だし、コストが安いが、機能がシングルで、それ以上のニーズを応じることができない。
【課題を解決するための手段】
【０００４】
そこで、本考案は、普通のミネラルウォーター瓶の欠点を克服するために、身の周りに付けて体の周りの空気を調節できる多機能の噴霧式ミネラルウォーター瓶を提供する。
【０００５】
本考案は、以下の技術方法を用いる。すなわち、本考案に係る多機能の噴霧式ミネラルウォーター瓶は、以下の部分からなっている。
【０００６】
（１）弾性材料で作られる容器。この容器には一つの口が付いてある。
【０００７】
（２）蓋スタンド。蓋スタンドは瓶口にぴったりと据え付けられ、その中心には水を通すことのできる通り穴がある。
【０００８】
（３）噴霧装置。噴霧本体、霧化弁体およびノズルを含んでいる。噴霧本体は垂直管と水平管からなっている。垂直管は、蓋の中心の通り穴と直接繋ぐことになる。水平管の円柱形の室の中には霧化弁体があり、ノズルと一体に組み立てられる。霧化弁体の外壁には少なくとも2本の導流溝があり、それと相応に、霧化溝もある。ノズルの断面の中心では霧化弁体と同軸の噴霧口が開かれ、それが霧化溝とつながっている。
【０００９】
垂直管の内壁には、水平管の円柱形室と同軸の十字形支え物があり、霧化弁体を支える。
【００１０】
霧化弁体の外壁には、中心対称になる4本の導流溝、および霧化溝が設けられてある。霧化溝は、円柱形の溝と4本の連通溝とを含む。導流溝と円柱形の溝の間は連通溝で結んでいる（連通溝は円柱形の溝の円周の接線になっている）。
【００１１】
ノズルの口には槽が設けられ、合致した副蓋がある。
【００１２】
副蓋は噴霧本体の水平管の外口と締め、またある弾性結合件で水平管とつながる。
【００１３】
ノズルの内部は円柱状になり、霧化弁体はそれと同軸にしまりばめになる。ノズルの外壁は噴霧本体の円柱状の室と緊密につながっている。
【００１４】
ノズルの噴霧口の後には同軸の円台形の穴があり、その穴の大きい直径は（霧化弁体の）円柱形の溝の直径と同じであり、小さい直径は噴霧口のと同じである。
【００１５】
主蓋スタンドの通り穴の内壁には環状の溝が付き、それと相応に、垂直管の上も環状の突起物があり、両者は緊密に嵌めあいとなる。
【００１６】
ノズルの位置に合わせて、主蓋スタンドには支え装置がある。支え装置は二つの支柱（18）と中間の円弧状の支え板（19）を含む。
【００１７】
主蓋スタンドは、弾性結合件を通じて主蓋とつながっている。その上端面には突起のリミット環があり、外径は蓋の内径に合わせる。また、リミット環の外側には溝もあり、外蓋の突起部分と噛み合って蓋を閉められる。
【考案の効果】
【００１８】
以上のように、本考案に係る多機能の噴霧式ミネラルウォーター瓶は、上記仕組みになっているので、多機能の噴霧式ミネラルウォーター瓶は、一般的に飲む機能の上に、瓶体を押すと、水は蓋スタンドの通り穴から垂直管を通して霧化弁体に入り、噴霧口から噴き出し、噴霧式飲み方式を実現する。周りの埃が発生し、あるいは暑い場合には、瓶体を逆立たせ、ノズルを体あるいは体の周りに向かって、瓶体を押すと噴霧し、周りの温度を下げさせたり、埃を水の霧と結合し落させたりして、涼しくてさわやかになれる。瓶の中の水が少なくなる場合には、瓶体を逆立って押し、噴霧式飲みたりとか空気を調節したりしてもいい。便利で経済的な見込みがあるものである。
【図面の簡単な説明】
【００１９】
【図１】本実用新案の仕組み図である。
【図２】蓋スタンドの仕組み図である。
【図３】蓋スタンドの分解図である。
【図４】蓋スタンドの断面図である。
【図５】蓋スタンドの仕組み図（部分）である。
【図６】噴霧装置本体の仕組み図である。
【図７】ノズルと水平管の側面図（右）である。
【図８】ノズルと水平管の断面図である。
【図９】弁体の仕組み図である。
【図１０】弁体の側面図（左）である。
【図１１】弁体の側面図（右）である。
【図１２】弁体の断面図である。
【図１３】ノズルの仕組み図である。
【図１４】ノズルの断面図である。
【考案を実施するための形態】
【００２０】
以下、図面を参照しつつ本考案を詳しく説明をする。
【００２１】
図1-14の通りに、多機能の噴霧式ミネラルウォーター瓶は、以下のパーツからなっている。
【００２２】
（１）弾性材料で作られた容器。この容器には一つの口が付いてある。
【００２３】
（２）蓋スタンド。蓋スタンド1は瓶口にぴったりと据え付けられ、弾性結合件12で主蓋11と連なる。蓋スタンドの通り穴の内壁には環状の溝が付く。蓋スタンドは、弾性結合件を通じて主蓋とつながっている。その上端面には突起のリミット環があり、外径は蓋の内径に合わせる。また、リミット環の外側には溝もあり、外蓋の突起部分と噛み合って蓋を閉められる。
【００２４】
（３）噴霧装置。噴霧本体2、霧化弁体22、ノズル23を含む。噴霧本体2は固定管21と中空管20からなっている。垂直管21の上にも環状の突起物210があり、蓋スタンド1の上の通り穴10としまりばめにされ、環状の突起物210は蓋スタンド1の通り穴10の内壁の環状の溝と嵌めあいとなっている。垂直管21の内室211の壁には、水平管20の円柱形室203と同軸の十字形の霧化弁体支え物212とが設けられている。水平管20は、弾性結合件202を通じて副蓋201と連なる。
【００２５】
霧化弁体22の外壁には、中心対称になる4本の導流溝221（二つの導流溝だけで噴霧を実現できるが、中心対称の原則として、4本の導流溝を設ける）と霧化溝とが設けられている。霧化溝は、円柱形の溝222と4本の連通溝223を含んでいる。導流溝221と円柱形の溝222の間は連通溝で結んでいる（連通溝は円柱形の溝の円周の接線になっている）。材料を省き重量を減らすために、霧化弁体22の中は中空にされてある（空洞部224）。
【００２６】
ノズル23の断面の中心では霧化弁体22と同軸の噴霧口233が開かれ、ノズルの先端部231にはの円柱形の槽232が設けられている。霧化弁体22は円柱形の室232と同軸にしまりばめになる。ノズル23の外径は、噴霧装置本体2の内径としまりばめになる。ノズルの噴霧口の後には同軸の円台形の穴234があり、その穴の大きい直径は（霧化弁体の）円柱形の溝222の直径と一緒、小さい直径は噴霧口233のと同じである。
【００２７】
ノズルをしっかりとと固定するために、蓋スタンド1にはノズル23の位置に合わせ、支え装置がある。その支え装置は二つの支柱18と中間の円弧状の支え板19を含める。
【００２８】
本考案に係る多機能の噴霧式ミネラルウォーター瓶を使う時に、瓶の中の水が多過ぎる場合、瓶の主蓋11と副蓋201を開き、直接に瓶体を押し、水は蓋スタンド1の通り穴10を通して垂直管21の内室211に入り、そして十字の支え物212の隙間を通して霧化弁体22の導流溝221に入り、回り霧化されて噴霧口233から噴き出し、噴霧式飲み方式を実現する。周りの埃が発生し、あるいは暑い場合は、瓶体を逆立ちにし、ノズルを体あるいは体の周りに向かって瓶体を押すと、噴霧ができ、周りの温度を下げるし、埃を水の霧と結合し落させ、涼しくてさわやかで快適になれる。瓶の中の水が少なくなる場合は、瓶体を逆立って押し、噴霧式飲みたりとか空気を調節したりしてもいい。便利で経済的な見込みがあるものである。
【符号の説明】
【００２９】
1      蓋スタンド
11     主蓋
2      噴霧本体
20     水平管
21     垂直管
22     霧化弁体
23     ノズル
221    導流溝
223    連通溝
233    噴霧口
【図１】
0003163942.tif 000003
【図２】
0003163942.tif 000004
【図３】
0003163942.tif 000005
【図４】
0003163942.tif 000006
【図５】
0003163942.tif 000007
【図６】
0003163942.tif 000008
【図７】
0003163942.tif 000009
【図８】
0003163942.tif 000010
【図９】
0003163942.tif 000011
【図１０】
0003163942.tif 000012
【図１１】
0003163942.tif 000013
【図１２】
0003163942.tif 000014
【図１３】
0003163942.tif 000015
【図１４】
0003163942.tif 000016